(57)【要約】【課題】判別した電池が混在して収容されることを防止し、かつユーザの判断に頼ることなく電池を振り分けることができる自動充電器を提供する。【解決手段】振り分け機構は、第１電池を第１収容部に収容する場合、第１電池を第１収容部へ導くための経路として、充電部の電池排出口から第１収容部の電池導入口までを接続する第１経路を選択し、第２電池を第２収容部に収容する場合、第２電池を第２収容部へ導くための経路として、充電部の電池排出口から第２収容部の電池導入口までを接続する第２経路を選択するフラップを有する。【選択図】図１
2019192368.tif 000002
【特許請求の範囲】
【請求項１】
複数の電池が投入される電池投入部と、
前記電池投入部に投入された前記複数の電池に対して充電動作を実行する充電部と、
前記充電部による充電動作の対象となっている前記複数の電池各々の状態を検知する検知部と、
前記検知部による前記複数の電池各々の検知結果に基づいて、所定の充電特性を満たす第１電池、及び前記第１電池以外の第２電池を判別する処理部と、
前記第１電池を収容する第１収容部と、前記第２電池を収容する第２収容部と、前記処理部における前記複数の電池各々の判別結果に応じて、前記第１電池を前記第１収容部へ導き、前記第２電池を前記第２収容部へ導くための振り分け機構と、を有する電池収容部と、を具備し、
前記振り分け機構は、前記第１電池を前記第１収容部に収容する場合、前記第１電池を前記第１収容部へ導くための経路として、前記充電部の電池排出口から前記第１収容部の電池導入口までを接続する第１経路を選択し、前記第２電池を前記第２収容部に収容する場合、前記第２電池を前記第２収容部へ導くための経路として、前記充電部の電池排出口から前記第２収容部の電池導入口までを接続する第２経路を選択するフラップを有する、自動充電器。
【請求項２】
前記処理部は、前記検知部による検知結果に基づいて、少なくとも前記複数の電池各々の種類、前記複数の電池のうちの充電可能な電池に充電された電気容量、並びに寿命を迎えた電池及び不良品を判定し、判定結果に応じて、前記第１電池及び前記第２電池を判別する、請求項１に記載の自動充電器。
【請求項３】
前記フラップは、予め前記第２経路を閉鎖する位置に設置し、前記第２電池を前記第２収容部に収容する場合に前記第１経路を閉鎖する、請求項１、又は請求項２に記載の自動充電器。
【請求項４】
前記フラップは、前記第１電池を前記第１収容部に収容する場合に前記第２経路を閉鎖し、前記第２電池を前記第２収容部に収容する場合に前記第１経路を閉鎖する、請求項１、又は請求項２に記載の自動充電器。
【請求項５】
前記充電部は、前記複数の電池に対する充電動作の実行前に、前記複数の電池に対する放電動作を実行する請求項１から請求項４のいずれか一項に記載の自動充電器。
【請求項６】
スイッチをさらに具備し、
前記充電部は、前記スイッチの操作を契機として、前記複数の電池を排出し、
前記処理部は、前記複数の電池のうち、前記スイッチの操作時において所定の充電特性を満たす電池を前記第１電池として判別し、
前記電池収容部は、前記スイッチの操作時における前記複数の電池各々の判別結果に応じて、前記第１電池を前記第１収容部に収容し、前記第２電池を前記第２収容部に収容する、請求項１から請求項５のいずれか一項に記載の自動充電器。
【請求項７】
前記充電部による充電動作の対象となっている前記複数の電池各々の状態を表示する表示部をさらに具備する、請求項１から請求項６のいずれか一項に記載の自動充電器。
【発明の詳細な説明】
【技術分野】
【０００１】
本発明は、電池を充電する自動充電器に関する。
【背景技術】
【０００２】
一般に販売されている充電器として、一次電池若しくは二次電池、又は大きさ等、電池の種類を判別することが可能な充電器が知られている。これにより、誤って一次電池に対して充電動作を行うことを防止することができる。また、上記充電器として、良品か、又は不良品若しくは寿命を迎えた電池かを判別することが可能な充電器が知られている。これにより、不良品又は寿命を迎えた電池が存在することをユーザに報知することができる。
【０００３】
ところで、上記充電器には、電池を収容する電池収容部が１つしか設置されていない。このため、上記のように、充電器において、電池の種類、又は不良品若しくは寿命を迎えた電池を判別しても、電池収容部内に電池が混在して収容されてしまう。これにより、充電器から電池を取り出す場合に、ユーザ側で電池を選別しなければならないという問題がある。
【先行技術文献】
【特許文献】
【０００４】
【特許文献１】特表２０１５−５２４２４５号公報
【発明の概要】
【発明が解決しようとする課題】
【０００５】
本発明はこのような事情を考慮してなされたものであり、その目的とするところは、充電可否及び特性良否を判別した電池が混在して収容されることを防止し、かつユーザの判断に頼ることなく電池を振り分けることができる自動充電器を提供することにある。
【課題を解決するための手段】
【０００６】
上記目的を達成するため、本実施形態に係る自動充電器は、複数の電池が投入される電池投入部と、前記電池投入部に投入された前記複数の電池に対して充電動作を実行する充電部と、前記充電部による充電動作の対象となっている前記複数の電池各々の状態を検知する検知部と、前記検知部による前記複数の電池各々の検知結果に基づいて、所定の充電特性を満たす第１電池、及び前記第１電池以外の第２電池を判別する処理部と、前記第１電池を収容する第１収容部と、前記第２電池を収容する第２収容部と、前記処理部における前記複数の電池各々の判別結果に応じて、前記第１電池を前記第１収容部へ導き、前記第２電池を導くための振り分け機構と、を有する電池収容部と、を具備する。前記振り分け機構は、前記第１電池を前記第１収容部に収容する場合、前記第１電池を前記第１収容部へ導くための経路として、前記充電部の電池排出口から前記第１収容部の電池導入口までを接続する第１経路を選択し、前記第２電池を前記第２収容部に収容する場合、前記第２電池を前記第２収容部へ導くための経路として、前記充電部の電池排出口から前記第２収容部の電池導入口までを接続する第２経路を選択するフラップを有する。
【０００７】
上記構成によれば、本実施形態に係る自動充電器の処理部は、上記第１電池、及び上記第２電池を判別する。また、電池収容部は、処理部における複数の電池各々の判別結果に応じて、第１電池を第１収容部に収容し、第２電池を第２収容部に収容する。これにより、本実施形態に係る自動充電器は、第１電池及び第２電池を自動で判別し、第１電池及び第２電池を分けて収容することができる。
【発明の効果】
【０００８】
本実施形態に係る自動充電器は、充電可否及び特性良否を判別した第１電池、及び第２電池が混在して収容されることを防止し、かつユーザの判断に頼ることなく電池を振り分けることができる。また、本実施形態に係る自動充電器は、第１電池及び第２電池を分けて収容するため、ユーザ側で電池を選別する必要がなくなり、ユーザの利便性を向上することができる。また、本実施形態に係る自動充電器は、第１電池及び第２電池を分けて収容するため、電池の使用ミスがなくなる。また、本実施形態に係る自動充電器は、第１電池及び第２電池を分けて収容することで、例えば、上記第１電池を積極的に使用するように促すことができる。これにより、第１電池の使用頻度が増大し、省エネ、及び環境対応にも貢献することができる。
【図面の簡単な説明】
【０００９】
【図１】本実施形態に係る自動充電器の外観図である。
【図２】図１の線α−αに沿った自動充電器の断面図である。
【図３】本実施形態に係る自動充電器における、電池の投入から電池の収容までの流れを説明するためのブロック図である。
【発明を実施するための形態】
【００１０】
以下、本発明の一実施形態に係る自動充電器について、図面を参照して説明する。まず、図１及び図２を参照して本発明の一実施形態に係る自動充電器について説明する。図１は、本実施形態に係る自動充電器１の外観図である。図２は、図１の線α−αに沿った自動充電器１の断面図である。
【００１１】
本実施形態に係る自動充電器１は、電池投入部２から投入された複数の電池に対して充電部３による充電動作を実行し、複数の電池を電池収容部４に収容する。上記自動充電器１は、所定の充電特性を満たす第１電池、及び第１電池以外の第２電池を判別する。また、自動充電器１は、複数の電池各々の判別結果に応じて、電池収容部４において第１電池及び第２電池を別々に収容する。
【００１２】
ここで、本実施形態における第１電池とは、例えば、省エネ、及び環境対応への貢献という観点から、積極的な使用が推奨されている、充電可能な電池のことである。具体的には、上記第１電池とは、二次電池、かつ充電上限電圧、充放電効率、及び最大充放電電流が所定の閾値以上となる電池のことである。なお、本実施形態に係る自動充電器１では、後述するように、充電部３による充電動作の結果に応じて、二次電池、かつ充電上限電圧、充放電効率、及び最大充放電電流が所定の閾値以上となるか否かを判定する。また、本実施形態に係る自動充電器１では、上記閾値として、経年劣化等の要因により寿命を迎えた、又は不良品であると判断可能な客観的数値が設定される。また、本実施形態に係る自動充電器１では、上記閾値として、ユーザにより任意の数値が設定可能である。
【００１３】
また、本実施形態における第２電池とは、充電上限電圧、充放電効率、又は最大充放電電流が所定の閾値未満となる電池のことである。上記第２電池には、一次電池、及び二次電池が含まれる。ここで、本実施形態における一次電池は、例えば、アルカリ電池、又はマンガン電池等の一般に知られている電池である。また、本実施形態における二次電池は、例えば、ニッケル水素電池、又はリチウムイオン電池等の一般に知られている電池である。また、本実施形態における一次電池、及び二次電池には、単三、又は単四等、様々な大きさの電池が含まれる。
【００１４】
次に、本実施形態に係る自動充電器１の各構成について説明する。本実施形態に係る自動充電器１は、電池投入部２、充電部３、検知部Ｓ１〜Ｓ４、マイコン５、電池収容部４、表示部Ｄ、及びスイッチＳＷを備える。電池投入部２は、上部に入口部２１を有し、下部に出口部２２を備えるホッパー形状を有する。また、電池投入部２の入口部２１には、導入片２３が設けられている。電池投入部２は、ホッパー形状及び導入片２３を有することで、入口部２１から投入された複数の電池を整列させながら、出口部２２へ順番に導くことが可能である。
【００１５】
充電部３は、回転軸Ｒを中心として所定の方向に回転する歯車形状の回転部３１、及び回転部３１に沿って設けられ、電池投入部２の出口部２２と一致する充電部３の電池導入口が設けられたハウジング３２により構成される。回転部３１の回転軸Ｒは、図示しないモータ（駆動源）の出力軸に接続されている。回転部３１は、モータの作動により、回転軸Ｒを中心として図２に示す回転方向に回転する。上記回転部３１には、回転部３１の円周方向に所定間隔で複数のスロット３３が設けられている。
【００１６】
複数のスロット３３は、それぞれ電池投入部２の出口部２２から一本ずつ電池を受容し、電池を係止する。例えば、充電部３の電池導入口の近傍に位置するスロット３３で電池を受容し、当該電池を係止した後、回転部３１を図２に示す回転方向に１スロット分だけ回転させる。さらに、充電部３の電池導入口の近傍に位置するスロット３３で電池を受容し、当該電池を係止する。これらの作業を繰り返すことで、各スロット３３において電池を係止することができる。本実施形態に係る充電部３には、例えば、８つのスロット３３が設けられている。
【００１７】
また、充電部３には、上記回転部３１に設けられた複数のスロット３３に沿って複数の充電端子３４が設けられている。充電端子３４は、導電性を有する材料で形成された板状の部材である。充電端子３４は、例えば、金属板である。充電端子３４は、回転部３１を図２に示す回転方向に回転させた場合に、各スロット３３が通過する位置に固定されて設けられる。例えば、充電端子３４が設けられた位置にスロット３３に係止された電池が移動された場合、充電端子３４により電池が充電される。
【００１８】
充電部３は、充電動作の終了後、複数の電池を充電部３の電池排出口３５から自動で排出する。なお、充電部３における充電動作を終了するタイミングは、例えば、充電対象となっているすべての電池の充電動作が終了した場合、又は充電されているすべての電池の充電が終了すると予想される所定の時間が経過した場合を含む。また、充電部３は、ユーザによる所定の操作を契機として、複数の電池を充電部３の電池排出口３５から排出してもよい。具体的には、充電部３は、後述するスイッチＳＷの操作を契機として、複数の電池を充電部３の電池排出口３５から排出してもよい。
【００１９】
検知部Ｓ１〜Ｓ４は、各充電端子３４に対応付けて設置される。検知部Ｓ１〜Ｓ４は、充電部３による充電動作の対象となっている複数の電池各々の状態を検知する。具体的には、検知部Ｓ１〜Ｓ４は、電池の電気容量、及び電気特性を検知する。検知部Ｓ１〜Ｓ４は、複数の電池各々の検知結果をマイコン（処理部）５へ送信する。なお、検知部Ｓ１〜Ｓ４の設置位置は、図２に示す位置に限らず、任意の位置に設置可能である。本実施形態に係る自動充電器１には、例えば、４箇所に充電端子３４が設けられている。すなわち、本実施形態に係る自動充電器１は、最大で４本の電池を同時に充電することが可能である。
【００２０】
マイコン（処理部）５は、ハードウェア資源として、所定のプロセッサを含む。マイコン５は、上記検知部Ｓ１〜Ｓ４による複数の電池各々の検知結果に基づいて、所定の充電特性を満たす第１電池、及び第１電池以外の第２電池を判別する。例えば、マイコン５は、上記検知部Ｓ１〜Ｓ４による検知結果に基づいて、少なくとも複数の電池各々の種類、充電可能な電池に充電された電気容量、並びに寿命を迎えた電池及び不良品を判定し、判定結果に応じて、第１電池及び第２電池を判別する。
【００２１】
このとき、マイコン５は、後述するスイッチＳＷの操作を契機として、複数の電池のうち、スイッチＳＷの操作時において所定の充電特性を満たす電池を第１電池として判別する。例えば、マイコン５は、充電動作中であっても、複数の電池のうち、スイッチＳＷの操作時において所定の充電特性を満たす電池が存在すれば、当該電池を第１電池として判別する。
【００２２】
表示部Ｄは、例えば、マイコン５による制御の下で、充電部３による充電動作の対象となっている複数の電池各々の状態を表示する。表示部Ｄは、表示インタフェース回路と表示機器とを有する。表示インタフェース回路は、表示対象を表すデータをビデオ信号に変換する。表示信号は、表示機器に供給される。表示機器は、表示対象を表すビデオ信号を表示する。表示機器としては、例えば、液晶ディスプレイ（ＬＣＤ：Liquid Crystal Display）、有機ＥＬディスプレイ（ＯＥＬＤ：Organic Electro Luminescence Display）、又は当技術分野で知られている他の任意のディスプレイが適宜利用可能である。
【００２３】
スイッチＳＷは、充電部３の各スロット３３に係止されている電池を充電部３の電池排出口３５から強制的に排出するためのものである。スイッチＳＷは、押下又は回転等の所定の操作を行うことが可能である。例えば、第１電池が至急必要な場合において、表示部Ｄに上記充電動作が終了した第１電池が存在することを示す通知が表示されていると仮定する。ユーザは、スイッチＳＷを操作して、充電部３の各スロット３３に係止されている電池を充電部３の電池排出口３５から強制的に排出する。これにより、ユーザは、第２電池の充電状態に関わらず、自動充電器１から第１電池を取り出すことができる。
【００２４】
電池収容部４は、マイコン５における複数の電池各々の判別結果に応じて、第１電池及び第２電池を別々に収容する。例えば、電池収容部４は、第１収容部４１、第２収容部４２、及び振り分け機構４３を有する。
【００２５】
第１収容部４１は、第１電池を収容する。第１収容部４１は、第１電池の取り出しやすさを向上させるため、例えば、自動充電器１の内部において、上記充電部３より下部、かつ自動充電器１の前面部分の近傍に設置される。第２収容部４２は、第２電池を収容する。第２収容部４２は、例えば、自動充電器１の内部において、上記充電部３より下部に設置される。
【００２６】
振り分け機構４３は、上記第１電池を充電部３の電池排出口３５から第１収容部４１の電池導入口４４へ導き、第２電池を充電部３の電池排出口３５から第２収容部４２の電池導入口４５へ導く。例えば、本実施形態における振り分け機構４３は、フラップを有する。フラップは、第１電池を第１収容部４１に収容する場合、第１電池を第１収容部４１へ導くための経路として、充電部３の電池排出口３５から第１収容部４１の電池導入口４４までを接続する第１経路Ｒ１を選択し、第２電池を第２収容部４２に収容する場合、第２電池を第２収容部４２へ導くための経路として、充電部３の電池排出口３５から第２収容部４２の電池導入口４５までを接続する第２経路を選択する。
【００２７】
なお、電池収容部４は、ユーザにより上記スイッチＳＷが操作された場合、スイッチＳＷの操作時における複数の電池各々の判別結果に応じて、第１電池を第１収容部４１に収容し、第２電池を第２収容部４２に収容する。
【００２８】
ここで、本実施形態に係る自動充電器１における、電池の投入から電池の収容までの流れについて、図３を参照して説明する。図３は、本実施形態に係る自動充電器１における、電池の投入から電池の収容までの流れを説明するためのブロック図である。ここで、本実施形態では、４つの電池Ｂ１〜Ｂ４が自動充電器１に投入される場合について説明する。
【００２９】
なお、図３は、本実施形態に係る自動充電器１における、電池の投入から電池の収容までの流れを例示的に示すものである。また、図３は、本実施形態に係る自動充電器１の理解を深めるため、自動充電器１を構成する構成部材の部分的な強調、拡大、縮小、又は省略を行っており、構成部材の縮尺や形状等を正確に表すものとはなっていない。すなわち、図３に示す構成部材の縮尺や形状は、図１及び図２に示す構成部材の縮尺や形状と異なる。
【００３０】
まず、ユーザにより、図３に示す電池投入部２の入口部２１に電池Ｂ１〜Ｂ４が投入される。図３に示す電池Ｂ１〜Ｂ４は、円筒形状を有している。次に、電池投入部２の入口部２１に投入された電池Ｂ１〜Ｂ４が図３に示す充電部３の各スロット３３に受容され、係止される。次に、各スロット３３に係止された電池Ｂ１〜Ｂ４が各充電端子３４の設置位置に移動され、充電動作が開始される。なお、本実施形態では、各スロット３３に係止された電池Ｂ１〜Ｂ４の放電動作を行い、電池Ｂ１〜Ｂ４の電気容量を所定の数値まで減らしてから、充電動作が開始される。これにより、満充電の電池が混在していても、放電動作を行うことで電池容量を減らすことができ、当該満充電の電池に対して充電動作を実行することができる。
【００３１】
ここで、図３に示す検知部Ｓ１〜Ｓ４は、充電動作中において、電池Ｂ１〜Ｂ４の電気容量、及び電気特性を検知し、マイコン５へ送信する。次に、マイコン５は、上記検知部Ｓ１による検知結果に基づいて、少なくとも電池Ｂ１の種類、充電可能な電池に充電された電気容量、並びに寿命を迎えた電池及び不良品を判定する。具体的には、マイコン５は、充電端子３４による充電動作の結果、電池Ｂ１の電圧が上昇したため、電池Ｂ１が二次電池であると判定する。また、マイコン５は、充電端子３４による充電動作の結果、電池Ｂ１の充電上限電圧、充放電効率、及び最大充放電電流が所定の閾値以上となったため、電池Ｂ１が第１電池であると判定する。すなわち、マイコン５は、電池Ｂ１を第１電池として判別する。
【００３２】
マイコン５は、上記検知部Ｓ２による検知結果に基づいて、少なくとも電池Ｂ２の種類、充電可能な電池に充電された電気容量、並びに寿命を迎えた電池及び不良品を判定する。具体的には、マイコン５は、充電端子３４による充電動作の結果、電池Ｂ２の電圧が上昇したため、電池Ｂ２が二次電池であると判定する。また、マイコン５は、充電端子３４による充電動作の結果、電池Ｂ２の充電上限電圧、充放電効率、及び最大充放電電流が所定の閾値以上となったため、電池Ｂ２が第１電池であると判定する。すなわち、マイコン５は、電池Ｂ２を第１電池として判別する。
【００３３】
マイコン５は、上記検知部Ｓ３による検知結果に基づいて、少なくとも電池Ｂ３の種類、充電可能な電池に充電された電気容量、並びに寿命を迎えた電池及び不良品を判定する。具体的には、マイコン５は、充電端子３４による充電動作の結果、電池Ｂ３の電圧が上昇したため、電池Ｂ３が二次電池であると判定する。また、マイコン５は、充電端子３４による充電動作の結果、電池Ｂ３の充電上限電圧、充放電効率、及び最大充放電電流が所定の閾値未満となったため、電池Ｂ３が第２電池であると判定する。すなわち、マイコン５は、電池Ｂ３を第２電池として判別する。
【００３４】
マイコン５は、上記検知部Ｓ４による検知結果に基づいて、少なくとも電池Ｂ４の種類、充電可能な電池に充電された電気容量、並びに寿命を迎えた電池及び不良品を判定する。具体的には、マイコン５は、充電端子３４による充電動作の結果、電池Ｂ４の電圧が上昇しなかったため、電池Ｂ４が一次電池であると判定する。すなわち、マイコン５は、電池Ｂ４を第２電池として判別する。
【００３５】
充電部３における充電動作の終了後、充電部３は、電池Ｂ１〜Ｂ４を充電部３の電池排出口３５から排出する。充電部３から電池Ｂ１〜Ｂ４を排出した後、電池収容部４は、マイコン５における複数の電池Ｂ１〜Ｂ４各々の判別結果に応じて、第１電池を第１収容部４１に収容し、第２電池を第２収容部４２に収容する。
【００３６】
例えば、マイコン５において第１電池として判別された電池Ｂ１，Ｂ２を第１収容部４１に収容する場合、電池収容部４を構成するフラップ４６、及びアクチュエータ４７を用いて、上記第２経路Ｒ２を閉鎖する。上記アクチュエータ４７は、例えば、ソレノイド、又はサーボモータである。アクチュエータ４７の動作は、マイコン５により制御する。具体的には、フラップ４６の初期設置位置を第２収容部４２の電池導入口４５の近傍の位置（言い換えれば、第２経路Ｒ２を閉鎖する位置）とした場合であって、電池Ｂ１，Ｂ２を第１収容部４１に収容する場合、図３に示すように、フラップ４６により上記第２経路Ｒ２を閉鎖したままにする。すなわち、マイコン５によりアクチュエータ４７を動作させない。これにより、第１経路Ｒ１を経由して、第１電池として判別された電池Ｂ１，Ｂ２を第１収容部４１に収容することができる。
【００３７】
また、充電部３において第２電池として判別された電池Ｂ３，Ｂ４を第２収容部４２に収容する場合、上記フラップ４６、及びアクチュエータ４７を用いて、上記第１経路Ｒ１を閉鎖する。具体的には、電池Ｂ３，Ｂ４を第２収容部４２に収容する場合、図３に示すように、マイコン５による判別結果に応じて、充電部３からの電池Ｂ３，Ｂ４の排出タイミングで、フラップ４６により上記第１経路Ｒ１を閉鎖する。すなわち、マイコン５は、フラップ４６により第１経路Ｒ１を閉鎖するようにアクチュエータ４７の動作を制御する。これにより、第２経路Ｒ２を経由して、第２電池として判別された電池Ｂ３，Ｂ４を第２収容部４２に収容することができる。上記過程を経て、本実施形態に係る自動充電器１は、第１電池を第１収容部４１に収容し、第２電池を第２収容部４２に収容することができる。
【００３８】
（総括）
上述の通り、本実施形態に係る自動充電器１は、複数の電池が投入される電池投入部２と、電池投入部２に投入された複数の電池に対して充電動作を実行する充電部３と、充電部３による充電動作の対象となっている複数の電池各々の状態を検知する検知部Ｓ１〜Ｓ４と、検知部Ｓ１〜Ｓ４による複数の電池各々の検知結果に基づいて、所定の充電特性を満たす第１電池、及び第１電池以外の第２電池を判別するマイコン（処理部）５と、第１電池を収容する第１収容部４１と、第２電池を収容する第２収容部４２と、マイコン５における複数の電池各々の判別結果に応じて、第１電池を第１収容部４１へ導き、第２電池を第２収容部４２へ導くための振り分け機構４３と、を有する電池収容部４と、備える。上記振り分け機構４３は、第１電池を第１収容部４１に収容する場合、第１電池を第１収容部４１へ導くための経路として、充電部３の電池排出口３５から第１収容部４１の電池導入口４４までを接続する第１経路Ｒ１を選択し、第２電池を第２収容部４２に収容する場合、第２電池を第２収容部４２へ導くための経路として、充電部３の電池排出口３５から第２収容部４２の電池導入口４５までを接続する第２経路Ｒ２を選択するフラップを有する。
【００３９】
上記構成によれば、本実施形態に係る自動充電器１のマイコン５は、上記第１電池、及び上記第２電池を判別する。また、電池収容部４は、マイコン５における複数の電池各々の判別結果に応じて、第１電池を第１収容部４１に収容し、第２電池を第２収容部４２に収容する。これにより、本実施形態に係る自動充電器１は、第１電池及び第２電池を自動で判別し、第１電池及び第２電池を分けて収容することができる。
【００４０】
かくして、本実施形態に係る自動充電器１は、充電可否及び特性良否を判別した第１電池、及び第２電池が混在して収容されることを防止し、かつユーザの判断に頼ることなく電池を振り分けることができる。また、本実施形態に係る自動充電器１は、第１電池及び第２電池を分けて収容するため、ユーザ側で電池を選別する必要がなくなり、ユーザの利便性を向上することができる。また、本実施形態に係る自動充電器１は、第１電池及び第２電池を分けて収容するため、電池の使用ミスがなくなる。また、本実施形態に係る自動充電器１は、第１電池及び第２電池を分けて収容することで、例えば、上記第１電池を積極的に使用するように促すことができる。これにより、第１電池の使用頻度が増大し、省エネ、及び環境対応にも貢献することができる。
【００４１】
なお、上記実施形態に係る自動充電器１は、図３に示すように、フラップ４６の初期設置位置を第２収容部４２の電池導入口４５の近傍の位置（言い換えれば、第２経路Ｒ２を閉鎖する位置）とした場合であって、電池Ｂ１，Ｂ２を第１収容部４１に収容する場合、フラップ４６により上記第２経路Ｒ２を閉鎖したままにしている。また、上記実施形態に係る自動充電器１は、電池Ｂ３，Ｂ４を第２収容部４２に収容する場合、マイコン５による判別結果に応じて、充電部３からの電池Ｂ３，Ｂ４の排出タイミングで、フラップ４６により上記第１経路Ｒ１を閉鎖している。しかしながら、本実施形態に係る自動充電器１は、これに限定されない。
【００４２】
例えば、本実施形態において、フラップ４６の初期設置位置を設定しない。上記実施形態におけるマイコン５は、電池Ｂ１，Ｂ２を第１収容部４１に収容する場合、フラップ４６により第２経路Ｒ２を閉鎖するようにアクチュエータ４７の動作を制御する。また、実施形態におけるマイコン５は、電池Ｂ３，Ｂ４を第２収容部４２に収容する場合、フラップ４６により第１経路Ｒ１を閉鎖するようにアクチュエータ４７の動作を制御する。具体的には、電池Ｂ１，Ｂ２を第１収容部４１に収容する場合、マイコン５による振り分け結果に応じて、充電部３からの電池Ｂ１，Ｂ２の排出タイミングで、フラップ４６により上記第２経路Ｒ２を閉鎖する。このとき、マイコン５は、フラップ４６により第２経路Ｒ２を閉鎖するようにアクチュエータ４７の動作を制御する。これにより、本実施形態に係る自動充電器１は、第１経路Ｒ１を経由して、第１収容部４１に第１電池として判別された電池Ｂ１，Ｂ２を収容することができる。
【００４３】
また、電池Ｂ３，Ｂ４を第２収容部４２に収容する場合、マイコン５による判別結果に応じて、充電部３からの電池Ｂ３，Ｂ４の排出タイミングで、フラップ４６により上記第１経路Ｒ１を閉鎖する。このとき、マイコン５は、フラップ４６により第１経路Ｒ１を閉鎖するようにアクチュエータ４７の動作を制御する。これにより、本実施形態に係る自動充電器１は、第２経路Ｒ２を経由して、第２収容部４２に第２電池として判別された電池Ｂ３，Ｂ４を収容することができる。
【００４４】
また、図３に示す検知部Ｓ１〜Ｓ４は、充電動作中において、電池Ｂ１〜Ｂ４の電気容量、及び電気特性を検知し、マイコン５へ送信している。また、マイコン５は、上記検知部Ｓ１〜Ｓ４による検知結果に基づいて、少なくとも電池Ｂ１〜Ｂ４の種類、充電可能な電池に充電された電気容量、並びに寿命を迎えた電池及び不良品を判定している。しかしながら、本実施形態に係る自動充電器１は、これに限定されない。例えば、本実施形態に係る自動充電器１の検知部Ｓ１〜Ｓ４は、充電動作前に実行される放電動作中において、電池Ｂ１〜Ｂ４の電気容量、及び電気特性を検知し、マイコン５へ送信してもよい。また、マイコン５は、上記検知部Ｓ１〜Ｓ４による検知結果に基づいて、少なくとも電池Ｂ１〜Ｂ４の種類、充電可能な電池に充電された電気容量、並びに寿命を迎えた電池及び不良品を判定してもよい。これにより、本実施形態に係る自動充電器１は、電池Ｂ１〜Ｂ４の電気容量、及び電気特性を精度よく検知することができる。また、上記検知部Ｓ１〜Ｓ４による放電動作中、及び充電動作中の検知結果に基づいて、少なくとも電池Ｂ１〜Ｂ４の種類、充電可能な電池に充電された電気容量、並びに寿命を迎えた電池及び不良品を判定できるため、判定結果の信頼性を向上することができる。
【００４５】
また、上記説明において用いた「所定のプロセッサ」という文言は、例えば、専用又は汎用のＣＰＵ（Central Processing Unit）、及びＭＰＵ（Micro Processing Unit）、並びに、特定用途向け集積回路（ＡＳＩＣ：Application Specific Integrated Circuit）、プログラマブル論理デバイス（例えば、単純プログラマブル論理デバイス（ＳＰＬＤ：Simple Programmable Logic Device）、複合プログラマブル論理デバイス（ＣＰＬＤ：Complex Programmable Logic Device）、及びフィールドプログラマブルゲートアレイ（ＦＰＧＡ：Field Programmable Gate Array）等を意味する。また、本実施形態の各構成要素（各処理部）は、単一のプロセッサに限らず、複数のプロセッサによって実現するようにしてもよい。さらに、複数の構成要素（複数の処理部）を、単一のプロセッサによって実現するようにしてもよい。
【００４６】
（変形例）
本実施形態に係る自動充電器１は、所定の充電特性を満たす第１電池、及び第１電池以外の第２電池に判別している。しかしながら、本実施形態に係る自動充電器１は、これに限定されない。例えば、変形例に係る自動充電器１は、電池投入部２に投入された複数の電池をより細かく判別してもよい。具体的には、変形例に係る自動充電器１において、第１収容部４１を複数に分ける。また、複数に分けた第１収容部４１の分だけ第１経路Ｒ１に分岐経路を設ける。さらに、第１経路Ｒ１の主要経路及び分岐経路の間にフリップ、及びアクチュエータを設ける。なお、新たに設置したアクチュエータの動作は、マイコン５により制御する。これにより、例えば、第１電池に単三及び単四等の様々な大きさの電池が含まれる場合、充電部３のマイコン５において電池の大きさごとに第１電池を判別し、電池収容部４において、様々な大きさごとに第１電池を収容することができる。
【００４７】
また、変形例に係る自動充電器１において、第２収容部４２を複数に分ける。また、複数に分けた第２収容部４２の分だけ第２経路Ｒ２に分岐経路を設ける。さらに、第２経路Ｒ２の主要経路及び分岐経路の間にフリップ、及びアクチュエータを設ける。なお、新たに設置したアクチュエータの動作は、マイコン５により制御する。これにより、例えば、第２電池に様々な種類、大きさ、並びに寿命を迎えた電池、又は不良品が含まれる場合、充電部３のマイコン５において様々な種類、大きさ、並びに寿命を迎えた電池、又は不良品ごとに第２電池を判別し、電池収容部４において、様々な種類、大きさ、並びに寿命を迎えた電池、及び不良品ごとに第２電池を収容することができる。
【符号の説明】
【００４８】
１  自動充電器
２  電池投入部
３  充電部
４  電池収容部
５  マイコン（処理部）
３１  回転部
３２  ハウジング
３３  スロット
３４  充電端子
４１  第１収容部
４２  第２収容部
４３  振り分け機構
４６  フラップ
４７  アクチュエータ
Ｂ１〜Ｂ４  電池
Ｄ  表示部
Ｓ１〜Ｓ４  検知部
ＳＷ  スイッチ
【図１】
2019192368.tif 000003
【図２】
2019192368.tif 000004
【図３】
2019192368.tif 000005